Podtech/llm-jp-corpus-v4-ja_patent huggingface dataset:
(57)【要約】      （修正有）【課題】粉砕された植物性残渣物等の含水率の高い有機物を乾燥することにおいて、機械的に装置内を循環させる方式では、蒸発する段階で空気に触れる機会が限られてしまい効率的ではない。【解決手段】円筒形の縦型乾燥槽１内において、被乾燥物を巻き上げるように取り付けられたプレート５ａを備えた噴射管５を回転させ、空間に放り出された被乾燥物に対し噴射管５を通して下方から乾燥した空気、温風及び熱風等を噴射するとともに、被乾燥物を回転で生じる螺旋状の気流によって装置内を上昇させ、滞留時間を設けて乾燥した空気、温風及び熱風等に接する機会と面積を増やし、自重によって下降した被乾燥物を再度巻き上げ、吹き上げることにより装置内を循環させる特徴を持つ乾燥装置を提案する。【選択図】図１
2011144938.tif 000002
【特許請求の範囲】
【請求項１】
円筒形の縦型乾燥槽の中心に重力方向に天面から底面を貫くように円筒状の回転軸を設け、該回転軸の末端近傍に複数の小孔を設けた複数の噴射管を該小孔が上向きになるように固定し、該噴射管の該小孔の上方から前記乾燥槽の底面に至るプレートを斜設し、前記回転軸の下端開口部にブロワの噴出口を挿入してなり、前記乾燥槽の上端部に前記回転軸に回転を与えるモーターを設け、且つ天面又は側面上部に投入口と排気口、前記回転軸の比較的上方に複数の拡散用羽根を設けた前記乾燥槽と、該排気口と側面上部に吸気口、天井面に排気口、底面に製品排出口を有する円筒形の製品収容槽の該吸気口を連通するダクト及び該製品収容槽を具備する乾燥装置
【発明の詳細な説明】
【技術分野】
【０００１】      本発明は乾燥装置に関する。
【背景技術】
【０００２】      特許第２６２７３９９号おいて、被乾燥物を下から上へ上昇せしめて循環させる工程で、乾燥物を空間に臨ませながら螺旋状に伝熱面に沿って順次上昇せしめつつ、最上部に達した被乾燥物を被乾燥物落下空間を通して最下部に落下させ、伝熱面に被乾燥物を接触、過熱させ、その後蒸発面に移動する工程では、被乾燥物を載せた垂直螺旋回転羽根の回転に伴う遠心力によって被乾燥物を電熱面に押し付け含有する水分が蒸発し、含水率が低くなった被乾燥物を含水率の高い被乾燥物と入れ替えるようにして空間に臨む蒸発面に移動させることを特徴とする乾燥方法が提案されている。
【先行技術文献】
【特許文献】
【０００３】
【特許文献１】特許第２６２７３９９号
【発明の概要】
【発明が解決しようとする課題】
【０００４】      粉砕された動植物性残渣物等の高水分有機物の乾燥において、過熱された被乾燥物はその場でも水分蒸発は起こるものの、更に水分蒸発を促進させるためには、個々の被乾燥物の面が空気にさらされることが大切であるが、機械的に撹拌、移動する方法では空気にさらされる面が限られてしまう。
【課題を解決するための手段】
【０００５】      円筒形の縦型乾燥槽の中心に重力方向に天面から底面を貫くように円筒状の回転軸を設け、該回転軸の末端近傍に複数の小孔を設けた複数の噴射管を該小孔が上向きになるように固定し、該噴射管の該小孔の上方から前記乾燥槽の底面に至るプレートを斜設し、前記回転軸の下端開口部にブロワの噴出口を挿入してなり、前記乾燥槽の上端部に前記回転軸に回転を与えるモーターを設け、且つ天面又は側面上部に投入口と排気口、前記回転軸の比較的上方に複数の拡散用羽根を設けた前記乾燥槽と、該排気口と側面上部に吸気口、天井面に排気口、底面に製品排出口を有する円筒形の製品収容槽の該吸気口を連通するダクト及び該製品収容槽を具備し、該回転軸に水平に固定された複数の噴射管を回転させながら乾燥した空気、温風及び熱風を噴射することにより螺旋状の気流を生じさせ、被乾燥物を装置内において乾燥した空気、温風及び熱風に接する機会と面積を増加させる特徴を持つ乾燥装置を提案する。
【発明の効果】
【０００６】      底面にある被乾燥物を巻き上げるように噴射管に備えられたプレートによって空間に巻き上げられた被乾燥物に対して、プレートの下面に沿って噴き出された乾燥した空気、温風及び熱風等の螺旋状の気流によって吹上、上昇させることによって、乾燥した空気、温風及び熱風と接する機会と面積を増やすことで乾燥効率を高める。【０００７】      また、発酵槽を外部から電熱線や蒸気等の多様な手段によって過熱することで、螺旋気流の遠心力、また、拡散回転羽根を下方向の気流を生じさせるように設けることによって助長された遠心力で被乾燥物は過熱された発酵槽内面に飛ばされ、最過熱された被乾燥物は再び乾燥した空気、温風及び熱風等に接することで乾燥効率が向上する。【０００８】      さらに、被乾燥物を予め発酵させ、発酵熱を生じさせておくと乾燥効率が向上する。【０００９】      乾燥した被乾燥物は気流によってダクトを通して製品収容槽に運ばれるため、簡易な構造が可能となる。
【図面の簡単な説明】
【００１０】
【図１】請求項１の側断面図
【産業上の利用可能性】
【００１１】      産業廃棄物処理において、植物性残渣物の飼料化が期待されており、乾燥効率のよい乾燥装置を提供することにより、低価格飼料が流通可能となる。
【符号の説明】
【００１２】      １    乾燥槽
２    回転軸
３    モーター
４    ブロワ
４ａ  噴出口
５    噴射管
５ａ  プレート
５ｂ  小孔
６    拡散回転羽根
７    投入口
８    排気口
９    ダクト
１０  製品収容槽
１１  吸気口
１２  排気口
１３  製品排出口
【図１】
2011144938.tif 000003
(57)【要約】      （修正有）【課題】浸透性が高く、癌に対する治療効果を有する混合剤組成物の提供。【解決手段】内用薬・外用薬・注射薬の形態であり、下記の（ア）と（ウ）、（イ）と（ウ）、（ア）と（エ）、（イ）と（エ）の組合せからなる混合剤組成物。（ア）キトサンジェル，またはその乾燥物、（イ）キチン，セルロース，リグニンを分解する菌または細菌の生成物、（ウ）抗菌剤・抗真菌剤、（エ）殺菌剤・消毒剤。該キチン，セルロース，リグニンを分解する菌としては、モニリア−ノイロスポラ−シトフィラであることが好ましい。該抗菌剤・抗真菌剤としては、クロラムフェニコールであることが好ましい。【選択図】なし【特許請求の範囲】
【請求項１】
（ア）キトサンジェル，またはその乾燥物．
（イ）キチン，セルロース，リグニンを分解する菌または細菌の生成物．
（ウ）抗菌剤・抗真菌剤．
（エ）殺菌剤・消毒剤．
内用薬・外用薬・注射薬全般の各医薬品の効能の一部となる、
次の組合せの混合剤
（ア）と（ウ），（イ）と（ウ），（ア）と（エ），（イ）と（エ）．
【発明の詳細な説明】
【技術分野】医薬品
【先行技術文献】
『カビへの招待』  中野正弘  著  研成社
【発明の概要】
〔課題〕癌には殻があり、抗生剤が内部に浸透しないせいで光線療法や抗がん剤に頼らざるを得ず、治り難い。
〔解決法〕糖蛋白質を分解できる物質と抗生物質の混合剤は、ウイルスの尾繊維や殻、細胞の細胞壁を溶解したあと、抗生物質が細胞内での蛋白質の合成などを阻止するので癌に対する治癒力を相当レベル増強できる。キチン・セルロースは人間の構成物質ではないので溶解させても害がない。
抗生物質に混合する糖蛋白質分解物質には、発酵食品に利用されている菌による「キチン・セルロースを分解する生成物」と「キトサンジェル（注１）」を考案した。キチン・セルロースを分解する菌、および細菌は多種多様だが、モニリア−ノイロスポラ−シトフィラ（注２）を例に効果を確認することができる。
抗菌剤および抗真菌剤は作用機序の面から、〈ａ〉細胞壁合成阻害型，〈ｂ〉細菌の細胞質膜障害型，〈ｃ〉核酸合成阻害型，〈ｄ〉蛋白質合成阻害型  に分けられるが、〈ｄ〉との組合せの効果が大きく、クロラムフェニコールによる本薬剤が優れている。
【発明の効果】癌が治るようになる
【実施形態】
内用薬・外用薬・注射薬
【実施例】外用薬としては本薬剤を適用後、ポリフィルムなどで空気を１．５日位遮断することで快癒し始め、蒸気吸入では肺癌による喘息が治る。歯槽膿漏を治す。
【利用可能性】
抗生物質の有為性を増強できる
【符号の説明】（注１）キトサンジェルについて：
キトサンジェルはキトサンを希酸で溶解したゾル物質で、カニ・エビ・魚のえら昆虫などに含まれているキチンから作られ、保湿剤として化粧品、人工皮膚の原料になっている。キトサンジェルは中和状態なので刺激性がなく、抗生物質の効力も損なわない。ここではキトサンを主成分とする保湿剤としてではなく、混入しているキトサン溶解剤と反応を促進する中和したゾル状態を必要として添加するので乾燥物でもよい。
（注２）モニリア−ノイロスポラ−シトフィラについて：
胞子はカロティンを含み、ヨーグルトや大豆によって発酵する。水溶性蛋白質、水溶性食物繊維、カルニチンを生成し、コレステロール排出作用と抗酸化作用がある。
(57)【要約】      （修正有）【課題】現在の電気自動車などにおいて、２次電池（バッテリー）へ充電された電気エネルギーの分だけしか走行できないため、１回の充電による走行距離が従来のガソリンエンジン車と比較して極端に短く、充電スタンドなどの設備もほとんどないため実用性に限りがあります。また、充電を行うためには発電機を使用するため二酸化炭素が排出されて地球温暖化などの環境悪化の原因のひとつになっています。【解決手段】本発明は、今まで利用されていなかった走行中に発生する車両の前方からの風圧を利用して、本発明装置の中で翼１が回転することで発電機２を回転させて発電する事で、走行中の前方からの風圧を電気エネルギーへと変換します。走行をしながら車両の２次電池（バッテリー）への補充電が可能となり走行可能な距離がのびて電気自動車などの実用性が高まります。【選択図】図２
2011144793.tif 000002
【特許請求の範囲】
【請求項１】
走行（航行）中の移動体（自動車や電車、船など）の車体（船体）の前方からの風圧を利用して、これを通風路へ導き通風路内で翼に当てて回転させて連結された発電機の回転軸を回することにより発電させる事で風圧を電気エネルギーへと変換させます。この電気エネルギーを使用して２次電池（バッテリー）への補充電を可能とするための発電方法である。
【発明の詳細な説明】
【技術分野】
【０００１】    本発明は自動車等の走行中の前方からの風圧を利用して発電するための方法に関する。
【背景技術】
【０００２】    従来、自動車等の走行中の前方からの風圧は発電に利用されていなかった。
【発明の概要】
【発明が解決しようとする課題】
【０００３】  従来、利用されていなかった自動車等の走行中の前方からの風圧を利用して発電することで、従来、電気自動車やハイブリッド車が走行に必要な電気を得るために使用する発電機等の使用量を減らし排気ガス中の二酸化炭素などの排出量を抑制して、地球温暖化等の環境悪化問題を少しでも改善しようとするものである。
【課題を解決するための手段】
【０００４】  走行中の前方からの風圧を電気エネルギーへと変換して利用する手段である。
【発明の効果】
【０００５】１：走行中の風圧を積極的に電気エネルギーへと変換して利用することにより電気自動車やハイブリッド車の燃費等を改善する効果がある。
２：発電に特別なエネルギー源を必要としないため、発電による二酸化炭素などの排出がなく、地球温暖化等の環境悪化問題を改善する効果がある。
【図面の簡単な説明】
【０００６】
【図１】本発明システムの基本的な構造を示した断面図である。
【図２】本発明システムの応用的な構造を示した断面である。
【発明を実施するための形態】
【０００７】  筒状の穴の中に配置された回転翼が走行中の前方からの風圧により回転して回転翼につながれた発電機の回転軸を回転させて発電を行うものである。
【実施例】
【０００８】第１：電気自動車の車体に本発明システムを搭載する。
第２：電気自動車が走行することにより発生する前方からの風圧を本発明システムへ導入して風圧を翼により回転力に変換して発電機を回転させて発電して車両の２次電池（バッテリー）への補充電を行う。
第３：従来の電気自動車ではバッテリーに蓄えられた電気エネルギーの分しか走行できなかったのに対して、本発明システムを使用することにより走行中に車両のバッテリーへ電気エネルギーが補充されるため走行可能な距離がのびる。
【産業上の利用可能性】
【０００９】１：電気自動車やハイブリッド車等に搭載することにより燃費等の性能が向上して走行可能な距離がのびます。
２：発電時に特別なエネルギー源を必要としないため、発電による二酸化炭素等の排出がなく地球温暖化等の環境悪化を抑制できます。
【符号の説明】
【００１０】１：回転翼      （図はプロペラを示していますが形状に指定はありません）
２：発電機      （片側端もしくは両側端に回転翼が接続されています）
３：主弁        （発電機の過回転を防止するために設置する場合もある）
４：通風路      （図は円形を示していますが形状に指定はありません）
５：副通風路    （応用例として過回転防止のために用いる場合もある）
６：副弁        （副通風路への風量を調整するために設置する場合もある）
【図１】
2011144793.tif 000003
【図２】
2011144793.tif 000004
(57)【要約】【課題】従来は、車両や船舶が走行及び航行する時、速度に応じて生ずる向かい風は空気抵抗の少ないデザインでその空気抵抗を少なくなるように考えられてきたが向かい風は走行及び航行するには、避ける事はできなかったので、その向かい風を何らかの形で利用する事ができないものかと考え望まれていた。【解決手段】車両や船舶の使用上問題のない場所に、車両や船舶の大きさにあったサイズの風力発電機を取付け、組み込む事で、車両や船舶が走行また航行する時、速度に応じて発生する向かい風を利用し、風車を回して電力を発電させ充電する事で、固体燃料を使用する事なく、自然に発生する風を利用し、風車を回転させ、電力として利用し使用する事ができ、二酸化炭素の削減に寄与する事ができる。【選択図】図２
2011144794.tif 000002
【特許請求の範囲】
［０００１］
車両や船舶が走行また航行時に起こる向かい風を利用する為、車両や船舶に合った形と大きさの風力を車両や船舶に取付け、走行や航行時の向かい風を利用し、風車を回す事で電力を発電させ充電し、その電力を利用する、向かい風を利用した風車による発電及び充電の風力発電のエコ機構装置。
【発明の詳細な説明】
【技術分野】
【０００２】この発明は、今までは走行及び航行時にスピードに応じて発生する向かい風は走行及び航行時の車両や船舶に対する抵抗でしかなかったので、この向かい風を利用する事で走行及び航行時に反力として発生する向かい風を使って、車両や船舶に取付けた風車を回す事で電力を発電させ、その電力を充電使用し余った電力は後で回収などして利用する事に関するものである。
【背景技術】
【０００３】現在、車両や船舶が走行また航行する時、速度に応じて発生する向かい風は抵抗として考えられ、車両や船舶にとって、その抵抗をいかに少なくするかを省エネの為に考えられてきたが、その向かい風をどのように利用する事ができるか新たな装置の開発が望まれていた。
【発明の開示】
【０００４】車両や船舶が走行また航行する時に発生する向かい風は、車両や船舶に対して抵抗でしかなかったが、速度を上げれば上がるほど強くなる向かい風を利用し、風車を回してエネルギーとして変換し利用するようにと考えられたものである。
【発明が解決しようとする課題】
【０００５】これまでは、次のような欠点があった。
車両や船舶が走行また航行する時、速度の速さに応じて生ずる向かい風は、車両や船舶に対して抵抗となり、速度が上がれば向かい風が強くなり、抵抗が増大されていた為、燃料消費も増す事になっていた。これを解決する為に流線型など抵抗の少ない形へとデザインされていたが、向かい風は速度に応じて１００％発生し増大する為、逆にその向かい風を利用する事で省エネに繋がらないものかと考えられたものである。
【課題を解決する為の手段】
【０００６】車両や船舶が走行また航行した時、進行方向に対して速度を増した時、無風状態であってもその速度を上げた分、比例して向かい風が強くなり増してくるので、その向かい風を利用する為に車両や船舶の使用上、問題の生じない場所に車両や船舶の状況や状態にあった形と大きさの風車を取付け、その向かい風を利用し、風車を回転させる事で電力を発生させ、発電した電力を充電し、その電力を利用するように考えられた構造の風力発電システムである。
【発明の効果】
【０００７】車両や船舶が走行また航行時に発生する速度に応じた向かい風を利用する為、車両や船舶の大きさにあったサイズの風力発電機を車両や船舶に取付け、組み込む事で風車を回し電力を発生させ、その電力を充電し使用する事で、二酸化炭素の削減となる。この様に向かい風を利用してエネルギーとして使用する。また、余った電力を後で回収する事も考えられる。以上のような器具として提供できる。
【発明の実施する為の最良の形態】
【０００８】以下、本発明の実施の形態について説明する。
車両や船舶が走行及び航行する時に発生する向かい風を利用し使用する為、車両や船舶の大きさにあったサイズの風力発電機を使用上問題のない場所に取付け、組み込み、走行及び航行時に速度に応じて発生する向かい風を利用し、車両や船舶に取付け、組み込んだ風車を回し、電力を発電させ充電させる事により、化石燃料を使用せずエネルギーを生みだす器具として使用される事ができるものである。
【図面の簡単な説明】
【図１】  風力発電機が取付け組み込まれた側面図
【図２】  風力発電機が取付け組み込まれた平面図
【図３】  風力発電機の構造図
【符号の説明】  ▲１▼風力発電機
▲２▼安全保護カバー
▲３▼風車
▲４▼変速機
▲５▼発電器
▲６▼取付固定金具
▲７▼変圧器
▲８▼バッテリー
▲９▼インバータ
▲１０▼電源コード
▲１１▼コンセント・プラグ・ボックス
▲１２▼保護カバー取付金具
【図１】
2011144794.tif 000003
【図２】
2011144794.tif 000004
【図３】
2011144794.tif 000005
(57)【要約】【課題】導水管（水道管・工業用水管・農業用水管）から水路を分岐し、導水管内の水圧及び水流によって、水車羽根の回転運動を利用して、自然にやさしい電気エネルギーを得るシステムを提供する。【解決手段】導水管▲１▼の制水弁▲２▼・▲３▼をとじて制水弁▲２▼〜制水弁▲３▼間を断水し、導水管▲１▼を分岐するためＴ字管▲４▼・▲５▼の取付箇所にて導水管▲１▼を切断し、Ｔ字管▲４▼・▲５▼を設置し、通水後の保守管理を簡素化するため、制水弁▲７▼・▲１０▼を設置し、曲管▲９▼・▲１１▼を設けた後、水車羽根取付管▲８▼を設置して、水車羽根取付管▲８▼内にある水車羽根▲１２▼の連絡軸▲１３▼と回転発電機▲１４▼を連絡することにより、配管接続完了後の通水による水車羽根▲１２▼の回転運動を回転発電機▲１４▼に連絡することにより電気エネルギーに変換する。【選択図】図１
2011144792.tif 000002
【特許請求の範囲】
【請求項１】
導水管（水道管・工業用水管・農業用水管）▲１▼を分岐して水車羽根取付管▲８▼を取り付け電気エネルギーを得るシステム。
【請求項２】
上記、請求項１における、水車羽根取付管▲８▼の上流側、下流側に制水弁▲７▼・▲１０▼を設置し、通水後の故障及び装置の増減に対する保守管理をスムーズに行うためのシステム。
【請求項３】
上記、請求項１における、導水管▲１▼の復旧に際し、分岐部分において水圧調整のため、水車羽根取付管▲８▼の両端にエアー抜き口▲１５▼を設置するシステム。
【発明の詳細な説明】
【技術分野】
【０００１】本発明は導水管（水道管・工業用水管・農業用水管）から水路を分岐し、水車羽根取付管を設置して水の圧力及び水流によって内部にある水車羽根を回転させて電気エネルギーに変化させる方法である。
【背景の技術】
【０００２】従来、導水管（水道管・工業用水管・農業用水管）は水の必要な場所へ水を運ぶ手段として利用されていたが電気エネルギーとして利用されることはすくなかった。しかし、割合古くから開発が行われていたが、屋内用であるとか、発電効率が低いとか、設置スペースが大きいとか、発電用の水車設置部分だけ管路が大きくなり、水の抵抗が大きくなったとか、これらの原因により水による発電の普及が遅れていると指摘されている。
【０００３】
【特許文献】特開平１１−０３７０３６、特開２００３−２７８６３３、特開２００７−００９７２１  再表９９／０６７５３１、特開２００４−１００６２５、
【発明の開示】
【発明が解決しようとする課題】
【０００４】今後直面するエネルギー危機及び温暖化に対して化石燃料ではない水を電気エネルギーに変化させ利用することにより住みやすい住環境に貢献できればとの発想。【０００５】本発明は敷地内及び公道上にある導水管（水道管・工業用水管・農業用水管）全てを容易に利用でき、設置スペースも小さく、導水管内の水圧、水流に与える影響も小さく簡素であり設置後の保守管理にも容易に対処できることを目的としている。
【課題を解決するための手段】
【０００６】上記問題を解決するため、この発明においては、導水管（水道水・工業用水管・農業用水管）の一部を分岐して水車羽根取付管を並列配管し、その管内の水圧及び水流にて水車羽根を回転させ電気エネルギーとして利用する方法である。
【発明の実施するための形態】
【０００７】この発明に係る導水管（水道管・工業用水管・農業用水管）の水圧及び水流を電気エネルギーとして利用する方法から既設導水管の復旧方法についての作業手順について説明する。尚、新設導水管についても作業手順は同じである。
【０００８】図１はこの発明に係る導水管（水道管・工業用水管・農業用水管）の全体構成図、図２は水車羽根取付管断面図である。
【０００９】まず、図１における水車羽根取付管▲８▼を設置予定位置の導水管（水道管・工業用水管・農業用水管）▲１▼の上流側制水弁▲２▼と下流側制水弁▲３▼をとじて導水管（水道管・工業用水管・農業用水管）▲１▼の制水弁▲２▼〜▲３▼の区間を断水する。
【００１０】次いで、導水管▲１▼を分岐するため、Ｔ字管▲４▼とＴ字管▲５▼の設置部分にて導水管▲１▼を切断し、Ｔ字管▲４▼、Ｔ字管▲５▼を設置し、導水管▲６▼を接続して導水管▲１▼を復旧する。
【００１１】次いで、Ｔ字管▲４▼の下流側に制水弁▲７▼を設置し、その下流側に曲管▲９▼を設置する。同様にＴ字管▲５▼の上流側に制水弁▲１０▼を設置し、その上流側に曲管▲１１▼を設置する。
【００１２】次いで、曲管▲９▼〜曲管▲１１▼間に水車羽根取付管▲８▼を設置する。水車羽根取付管▲８▼の両端には、通水後の導水管内の水圧の不均衡を防止するため、エアー抜き口▲１５▼を設置する。
【００１３】次いで、水車羽根取付管▲８▼内にある水車羽根▲１２▼の連絡軸▲１３▼と回転発電機▲１４▼を連絡することにより、配管接続完了後の通水による水車羽根▲１２▼の回転運動を回転発電機▲１４▼に連絡することにより電気エネルギーに変換する。
【００１４】上記作業をすべて配管及び連絡終了後、制水弁▲２▼、制水弁▲７▼、制水弁▲１０▼と開放して制水弁▲２▼〜制水弁▲３▼間を通水し、エアー抜き口▲１５▼にて制水弁▲２▼〜制水弁▲３▼間のエアーを除去後、制水弁▲３▼を開放し、導水管▲１▼を復旧させる。
【発明の効果】
【００１５】この発明によれば、制水弁を分岐箇所に設けることにより、導水管（水道管・工業用水管・農業用水管）の既設管及び新設管全ての管において対応できる。又、電気エネルギーが必要な場所で導水管があれば、短期間に設置し、自然にやさしい電気エネルギーが利用できる。しかも制水弁▲７▼、制水弁▲１０▼を設置することにより、制水弁▲７▼〜制水弁▲１０▼間の水車羽根取付管▲８▼の増減を行うことにより、電気エネルギーの増減も行え、設置後の保守管理も導水管▲１▼に影響を与えることなくおこなえる。又、導水管の断面変更がないので導水管内の水の抵抗も最小限に抑えられる利点がある。
【図面の簡単な説明】
【図１】この発明の実施の形態を示す構成図
【図２】この発明の水車羽根取付管の断面図
【符号の説明】▲１▼導水管（水道管・工業用水管・農業用水管）
▲２▼制水弁
▲３▼制水弁
▲４▼Ｔ字管
▲５▼Ｔ字管
▲６▼導水管（水道管・工業用水管・農業用水管）
▲７▼制水弁
▲８▼水車羽根取付管
▲９▼曲管
▲１０▼制水弁
▲１１▼曲管
▲１２▼水車羽根
▲１３▼連絡軸
▲１４▼回転発電機
▲１５▼エアー抜き口
【図１】
2011144792.tif 000003
【図２】
2011144792.tif 000004
(57)【要約】【課題】従来の密閉型圧縮機は電動機の回転軸が磁性体であるため、磁束が軸を通して漏れることが避けられず、固定子との間の鎖交磁束が減少し、その分モータ効率が落ちると言う課題を有していた。本発明は磁束の回転軸から漏れを防止して性能の優れた密閉型電動圧縮機を提供するものである。【解決手段】回転子１の内径に非磁性のボス１６をあらかじめ固定し、該ボスを回転軸４に固定することによって軸への磁束の漏れをなくし、且つ、コアとボス間に最大限の空間を設けて、更に磁束の漏れを少なくする。【選択図】図１
2011144758.tif 000002
【特許請求の範囲】
【請求項１】
密閉型電動圧縮機に用いられるブラシレスモータを構成する回転子であって、マグネットを積層された鉄板に内装した構造からなる該回転子の内径に、非磁性のボスをあらかじめ径方向に歪が生じないよう回転軸方向に固定し、前記ボスを介在して回転軸に機械的に固定してある密閉型電動圧縮機。
【請求項２】
回転子を固定するボスとコア間のボス側に空間を設けて冷媒通路とすると共に、ボスを軸に固定する際の歪の影響を受けにくい部分でのみコアと接触させてある請求項１記載の密閉型電動圧縮機。
【発明の詳細な説明】
【技術分野】
【０００１】
本発明は空調・冷却機に用いられる密閉型電動圧縮機に関するものである。
【背景技術】
【０００２】
従来の密閉型電動圧縮機に用いられるブラシレスモータの回転子と回転軸の固定は、焼バメ固定されるのが一般的な方法である。
【先行技術文献】
【特許文献】
【０００３】
【特許文献１】特開２００１−０１２３７４号公報
【発明の概要】
【発明が解決しようとする課題】
【０００４】
しかしながら、上記従来の固定方法では回転軸が磁性体であるため、磁束が軸を通して漏れることが避けられず、固定子との間の鎖交磁束が減少し、その分モータ効率が落ちると言う課題を有していた。
【０００５】
本発明はこのような従来の課題を解決するものであり、磁束の回転軸から漏れを防止して性能の優れた密閉型電動圧縮機を提供することを目的とする。
【課題を解決するための手段】
【０００６】
前記従来の課題を解決するために、本発明の密閉型電動圧縮機に用いられるブラシレスモータの回転子は、内径に、非磁性のボスを、予め該回転子のコアとの間で応力歪が起こらないよう軸方向に固定し、且つ、ボスと軸との固定の際のボスの歪の影響が少ない位置で保持できるようにした。
【発明の効果】
【０００７】
本発明の回転子の構成によって、鎖交磁束の減少が抑えられ性能の優れた密閉型電動圧縮機が得られる。
【図面の簡単な説明】
【０００８】
【図１】本発明の実施の形態１における回転子の組立断面図
【図２】本発明の実施の形態１における固定用ボスの斜視図
【図３】本発明の実施の形態１における密閉型電動圧縮機の断面図
【発明を実施するための形態】
【０００９】
第１の発明は密閉型電動圧縮機に用いられるブラシレスモータを構成する回転子であって、マグネットを積層された鉄板に内装した構造からなる前記回転子の内径に、非磁性のボスをあらかじめ径方向に歪が生じないよう回転軸方向に固定し、前記ボスを介在して回転軸に機械的に固定することによって、コア歪による損失を発生させること無く、磁束の漏れによる損失を抑えることができる。
【００１０】
第２の発明は第１の発明のボスと回転子コアの間のボス部に大きな空間を設けて、冷媒通路とすると共に、ボスを軸に固定する際の歪の影響を受けにくい部分でのみコアと接触させることによって、回転軸とボスの固定時の歪がコアに伝わらないようにできる。
【００１１】
以下本発明の実施の形態について図面を参照して説明する。なお、この実施の形態によ
って本発明が限定されるものではない。
【００１２】
（実施の形態１）
図１は本発明のブラシレスモータの第１の実施の形態における回転子の組立断面図である。図において、平板状のマグネット１３を内装する積層した鉄板からなる固転子ヨーク１２の取付穴１４に、非磁性の固定用ボス１６が前記回転子ヨーク１２の回転軸方向に、カシメピン１５，１９にて、端板１７ａ，１７ｂと共締め固定されている。
【００１３】
図２は前記固定用ボス１６の形状を示した斜視図である。図において、回転軸４の取付け穴２２と、ヨークと軸方向に固定するためのピン穴１８、冷媒通路用空間２１及び前記回転子ヨーク１２の取付け穴１４と接触する勘合部２０が設けてある。ここで勘合部は中間バメにしてある。
【００１４】
図３は本発明の第１の実施の形態のブラシレスモータの回転子を用いた密閉型電動圧縮機の部分断面図である。
【００１５】
図において、１は該固定子で胴シェル６に絞まりバメ固定され、圧縮機のメカ部３の回転軸４に固定されている回転子２とでモータを形成する。回転軸を支える軸受５は、前記メカ部と一体で形成されている。また、上下シェル７、８と前記胴シェル６とで圧力容器を形成し、該圧力容器にアキュームレータ、吐出管９，１０、とモータに電源を供給する端子１１設け、圧縮機を形成している。
【００１６】
以上のように構成された回転子について、以下に作用効果を説明する。
【００１７】
まず回転子ヨークとボス間は軸方向に固定され、径方向は中間バメの勘合により焼バメ時に働く様な、径方向の応力歪は生じない。
【００１８】
また、回転子内径とボスとの接触面をコア歪が起こり難い部分（本実施の形態ではコアカシメピンの位置）に設けることにより、ボス焼バメ時の歪がコアに伝わり難くなって、コアの応力歪を最小にできる。
【００１９】
さらに、ボスに設けられた空間は、肉厚強度を十分取れるため、積層コアに空間を設けるのに比べ大きくとれる。
【００２０】
以上のように、本実施の形態では、非磁性のボスをあらかじめコアの径方向に歪が生じないよう回転軸方向に固定し、且つ回転軸に固定する際の歪も小さい回転子を実現できるので、コア歪による損失増を招くこと無く、磁束漏れ低減効果が得られる。
【００２１】
また、冷媒通路としての空間を大きく取れることから、さらに軸への磁束の漏れが無くなり、更に、内装されたマグネットのより近傍を冷媒が流れることによって温度上昇が抑えられ、熱減磁によるロスも低減されると言う効果もある。
【産業上の利用可能性】
【００２２】
以上のように本発明の回転子は、ブラシレスモータを用いた密閉型電動圧縮機の全てに応用可能である。
【符号の説明】
【００２３】
１  回転子  
２  固定子
３  メカ部
４  回転軸
５  軸受
６  胴シェル
７  上シェル
８  下シェル
９  アキューム
１０  吐出管
１１  電源端子
１２  回転子ヨーク
１３  マグネット
１４  取付け穴
２２  取付け穴
１５  カシメピン
１９  カシメピン
１６  ボス
１７ａ  端板
１７ｂ  端板
１８  ピン穴
２０  勘合部
２１  空間
【図１】
2011144758.tif 000003
【図２】
2011144758.tif 000004
【図３】
2011144758.tif 000005
(57)【要約】【課題】金色の色調であって、高価格である金を含有しないで、金合金と比較して低価格であり、金合金と同等の耐食性の良い銅合金を提供することを目的としている。【解決手段】発明した耐食性金色銅合金は、１０質量％〜３０質量％のパラジウムおよび１質量％〜６質量％のアルミニウムを含有し、残部が銅および不可避的不純物であることを特徴とするものである。このような組成にすると、金色の色調であって、鋳造性、塑性加工性がよく、耐食性が優れた銅合金となる。【選択図】図１
2011144445.tif 000002
【特許請求の範囲】
【請求項１】
１０質量％〜３０質量％のパラジウムおよび１質量％〜６質量％のアルミニウムを含有し、残部が銅および不可避的不純物である耐食性金色銅合金。
【発明の詳細な説明】
【技術分野】
【０００１】  本発明は金色の色調であり、耐食性の良い銅合金に関する。
【背景技術】
【０００２】  従来、金色の色調である合金は、金合金か銅合金である。耐食性の良い金合金は金の含有量が多く、高価である。一般的に、銅合金は低価格であるが耐食性は悪いものが多い。近年、管楽器用の合金として、金やパラジウムを添加した銅合金の特許文献がある。管楽器用は勿論のこと、装飾品用、装身具用等に用いられる金色の色調で、耐食性の良い銅合金の開発が望まれている。（特許文献１、特許文献２、参照）
【先行技術文献】
【０００３】
【特許文献１】特許公開２００４−３００５６８号公報
【特許文献２】特許公開２００５−２５０３３６号公報
【発明の概要】
【発明が解決しようとする課題】
【０００４】  金色の色調であって、金合金と比較して低価格であり、装飾品用、装身具用および管楽器用等に用いられる耐食性の良い銅合金の開発が望まれている。従来の技術においても、このような課題を解決する銅合金が提供されていないのが実情である。【０００５】  本発明は、このような事情に鑑みて案出されたものであって、金色の色調であって、高価格である金を含有しないで、比較的低価格であり、耐食性の良い銅合金を提供することを目的としている。
【課題を解決するための手段】
【０００６】  銅（Ｃｕ）にパラジウム（Ｐｄ）を添加すると、耐食性は良くなるが、金色の色調は薄れてしまう。本発明者は、更に、少量のアルミニウム（Ａｌ）を添加すると、優美な金色の色調になることを知見した。従って、耐食性が良く、金色の色調である銅−パラジウム−アルミニウムの三元銅合金を発明した。【０００７】  発明した耐食性金色銅合金は、１０質量％〜３０質量％のパラジウムおよび１質量％〜６質量％のアルミニウムを含有し、残部が銅および不可避的不純物であることを特徴とするものである。このような組成にすると、金色の色調であって、鋳造性、塑性加工性がよく、耐食性が優れた銅合金となる。【０００８】  本願請求項に記載の銅合金は、１０質量％〜３０質量％のパラジウムおよび１質量％〜６質量％のアルミニウムを含有し、残部が銅および不可避的不純物である耐食性金色銅合金。
【発明の効果】
【０００９】  本発明により、商品価値の高い金色の色調であって、高価な金を含有しないので金合金より低価格で、耐食性が優れた銅合金を提供することが出来る。
【図面の簡単な説明】
【００１０】
【図１】の表１は本発明の実施の形態の表であり、［図１］の表２は比較例の表である。
【発明を実施するための形態】
【００１１】  次に図面を参照して、本発明の好ましい形態の金合金について詳細に説明する。本発明の耐食性金色銅合金は、１０質量％〜３０質量％のパラジウムおよび１質量％〜６質量％のアルミニウムを含有し、残部が銅および不可避的不純物であることを特徴とするものである。
【００１２】  パラジウムを１０質量％〜３０質量％としたのは、１０質量％未満では耐食性が低下するからであり、３０質量％超では、価格が高くなるからである。アルミニウムを１質量％〜６質量％としたのは、１質量量％未満では金色の色調が充分に得られないからであり、６質量％超では、塑性加工性が低下するからである。
【００１３】  次に、本発明の銅合金と比較例の合金に関して、鋳造性、硬さ、塑性加工性、色調および耐食性の試験を行った結果について説明する。高純度の地金を図１の表１に示す実施例および図１の表２に示す比較例の組成に、それぞれ秤量し、金属溶解装置を用いてアルゴンガス雰囲気下で溶解して、インゴットを作製した。各々のインゴットを溶解して、厚さ５ｍｍの金型に鋳造し、直ちに水中急冷して、試験片を作製した。
【００１４】  鋳造性の検査は、鋳造した試験片を、顕微鏡を用いて精査して、鋳造性の良否を判定した。その結果を図１の表１および表２に示す通り、実施例および比較例の各々の合金は鋳巣や亀裂もなく、鋳造性は良好であった。
【００１５】  加工前の硬さ測定は、マイクロビッカース硬さ試験機を使用して、各試験片とも５点の硬さを測定し、平均値を算出した。その結果を図１の表１および表２に示すが、実施例および比較例の各々の合金の硬さは、ほぼ同等であった。
【００１６】  塑性加工性の試験は、ロール式圧延機を用いて、辺縁に亀裂が出来るまで圧延した。圧延前の厚さを圧延後の厚さで除した数値を圧延倍数とした。その結果を図１の表１および表２に示すが、実施例および比較例の各々の合金の数値は４以上であった。従って塑性加工性は良好であると判定された。
【００１７】  色調検査は、圧延後の各試験片をバフ研磨して、明るい自然光の下で、肉眼で比較して検査をした。その結果を図１の表１および表２に示す。濃淡の差はあるが、全て金色であった。
【００１８】  耐食性の試験は、研磨した各試験片を各個の蓋付きビンの中で、０．５％乳酸・０．１％ＮａＣｌ溶液に全浸漬し、３７℃で３日間保持して、変色の度合いを検査して判定した。その結果を図１の表１および表２に示す。実施例は全て変色が無く、耐食性は良いと判断された。
【００１９】  以上の結果から、本発明の耐食性金色銅合金は、鋳造性は良好であり、硬さも充分であり、塑性加工性は良好であり、色調は金色であり、耐食性は良い特性であった。
【産業上の利用可能性】
【００２０】  本発明の耐食性金色銅合金は、装飾品部材、装身具部材、管楽器部材、建築物部材および各種工芸品部材など利用範囲は広い。
【図１】
2011144445.tif 000003
(57)【要約】      （修正有）【課題】従来の車椅子用レインコートは、他の人の援助を受けなければ着脱ができず又自走時には車輪にコートが絡まる等危険を伴うことがあった。【解決手段】ケープにフード・前身頃をとりつけ一体化する。座った状態で前身頃・ケープをかぶり、前身頃の部分を足首までおろして車椅子のパイプに止める。自走の場合１人で着脱可能であり、車輪への絡まりを阻止することができる。介護を受ける場合は車椅子に腰かけたまま着脱することが楽にでき、介護者も傘をさし掛ける人手等が減り１人でも移送しやすくなる。【選択図】図１
2011144489.tif 000002
【特許請求の範囲】
【請求項１】
雨天時に車椅子に座った状態で１人で着脱可能・車輪に絡まらない安全なフード・ケープ・身頃一体化のレインコート
【発明の詳細な説明】
【技術分野】
【０００１】  車椅子利用者のためのレインコートに関する。
【背景技術】
【０００２】  車椅子利用者（自走者・要介護者）の雨天時の行動の安全性・便利化に関する。
【発明の概要】
【発明が解決しようとする課題】
【０００３】  雨天時に車椅子利用者が１人で行動する時、上着・ズボンと分かれていると着脱が不便で車椅子内にも雨が入る。又ポンチョ風の場合丈が長いものが多く車輪に絡まり危険を伴っていたための開発。【０００４】  雨天時に介護移送してもらう時、介護士が傘を差し掛けるのみの場合は濡れやすく又介護士の手数（人数）も多くかかり改善のための開発。
【課題を解決するための手段】
【０００５】  ケープにフード・前身頃をとりつけ一体化する。【０００６】  座った状態で前身頃・ケープをかぶり、前身頃の部分を足首までおろし（図１）のイ・ロ・ハ・ニの部分を車椅子のパイプに止める。【０００７】  コートは全体がかぶりである。【０００８】  ケープの長さは車椅子の車輪の上でおさまる丈である。
【発明の効果】
【０００９】  自走の場合１人で着脱可能であり、車輪への絡まりを阻止することができる。【００１０】  介護を受ける場合（図４）のように車椅子に腰かけたまま着脱することが楽にでき、介護者も傘をさし掛ける人手等が減り１人でも移送しやすくなる。
【図面の簡単な説明】
【００１１】
【図１】  フード・ケープ・前身頃一体化の正面図
【図２】  フード・ケープ・前身頃一体化の側面図
【図３】  自走時の図
【図４】  介護時の図
【図５】  図１の分解図
【図１】
2011144489.tif 000003
【図２】
2011144489.tif 000004
【図３】
2011144489.tif 000005
【図４】
2011144489.tif 000006
【図５】
2011144489.tif 000007
(57)【要約】      （修正有）【課題】ペットに軽く優しく触れるばかりでなく、毛に馴染んで揉むことができ、しかも、使用により表面の糸や繊維が擦れて薄くなるようなことがなく、長期にわたって安定して使用できるペット専用のシャンプー用手袋を提供する。【解決手段】手入口２に長い手首部５を有する薄くて柔らかい材質に形成されるゴム手袋１において、そのゴム手袋のうちの手部３の少なくとも手の平面に綿糸または繊維を付着し、その表面をペットに直接触れる凹凸の粗綿層７で被覆した。【選択図】図１
2011144465.tif 000002
【特許請求の範囲】
【請求項１】
手入口に長い手首部を有する薄くて柔らかい材質に形成されるゴム手袋において、そのゴム手袋のうちの手部の少なくとも手の平面に綿糸または繊維を付着し、その表面をペットに直接触れる凹凸の粗綿層で被覆したことを特徴とするペット専用のシャンプー用手袋。
【請求項２】
一対からなる前記ペットのシャンプー用手袋のうち、少なくとも一側の手袋の手の平の中央部に、ペットの毛を解くブラシを着脱可能に装着したことを特徴とする請求項１記載のペット専用のシャンプー用手袋。
【発明の詳細な説明】
【技術分野】
【０００１】
この発明は、犬や猫等を優しく洗うために着用するペット専用のシャンプー用手袋に関する。
【背景技術】
【０００２】
犬猫をシャンプーするときには、一般的に３８°Ｃ程度のぬるま湯のシャワーを少しずつかけながら、手で軽く揉むようにして全身を隅々まで濡らしてから、毛にシャンプー液をなじませ、全身の皮膚や毛の汚れを揉みだすようにして洗い、それからシャンプーのお湯をかけながら全身を手ですすぎ、最後にタオルで水気を拭き取って終わる。
【０００３】
この一連の作業において、手をペットの身体に触れさせることは避けられないが、ペットの気性によっては噛まれたり爪で引っかかれたりして怪我をすることがある。また、このような危害の恐れのないおとなしいペットに対しても、安全のためゴム手袋を嵌めてシャンプーがなされることがある。しかし、これではゴムで固く防備した手でペットに触れることになるので、泡立ちが期待できなく、また、ペットをいたわる優しさに欠けるという問題があった。
【０００４】
ところで、毛糸手袋にゴム手袋を内嵌めした二重の防寒防水兼用毛糸手袋の提案（特許文献１）が見られるが、このような手袋を仮に使用すれば、柔らかい毛糸でペットに触れることができると考えられる。しかし、これによれば、感触は良いものの使用しているうちに、ペットとの摩擦で毛糸がほぐれ薄くなり肌触りが悪くなるという問題がある。
【先行技術文献】
【特許文献】
【０００５】
【特許文献１】特開２００６−２４１６５９号公報
【発明の概要】
【発明が解決しようとする課題】
【０００６】
この発明は、上記のような実情に鑑みて、ペットに軽く優しく触れるばかりでなく、毛に馴染んで揉むことができ、しかも、使用により表面の糸や繊維が擦れて薄くなるようなことがなく、長期にわたって安定して使用できるペット専用のシャンプー用手袋を提供することを課題とした。
【課題を解決するための手段】
【０００７】
上記の課題を解決するために、この発明は、手入口に長い手首部を有する薄くて柔らかい材質に形成されるゴム手袋において、そのゴム手袋のうちの手部の少なくとも手の平面に綿糸または繊維を付着し、その表面をペットに直接触れる凹凸の粗綿層で被覆したことを特徴とするペット専用のシャンプー用手袋を提供する。
【０００８】
上記のように構成したから、これを使用するときには、シャンプーをペットに直接つけるほかに、シャンプーを粗綿層に馴染ませて綿層を介してつけながら、軽い感触でもみ洗いをする。
【発明の効果】
【０００９】
以上説明したように、この発明のペット専用のシャンプー用手袋によれば、綿の繊維が凹凸する粗綿層でソフトにペットに触れることになるため、ペットに警戒心を与えることなく優しく対応でき、また、シャンプーやリンスが吸収しやすい粗綿層であるので、泡立ちが良くペットの毛と馴染んで隅々に至るまで揉み洗いしながらきれいに洗うことができ、そのためシャンプーやリンスが効果的に節約され、加えて、凹凸でマッサージ効果も期待でき、さらに、水に丈夫な綿であるので、表面が薄く剥がれることなく耐久性が良好であるという優れた効果がある。
【００１０】
加えて、請求項２によればブラッシングが可能となり、上記効果が一層顕著となる。
【図面の簡単な説明】
【００１１】
【図１】この発明に係るペット専用のシャンプー用手袋を一部切欠して示す分解斜視図である。
【図２】同手袋を一として、他方の手袋（一部が切欠される）と対において示すペット専用のシャンプー用手袋の正面図である。
【図３】図２のＡ−Ａ線矢視の拡大断面図である。
【発明を実施するための形態】
【００１２】
ゴム手袋１は手入口２に長い手首部５を有し、そのゴム手袋１のうち、手首部５を除外した手部３の表面に凹凸を有する粗綿層７を形成したものであるが、同じ一対Ｐ，Ｐである場合と、ブラシ９付きのもの９ａと対である場合、つまりＰ，Ｐａの対である場合等がある。また、ブラシ９付きの手袋Ｐａの単独使用もできる。
【００１３】
粗綿層７は、柔らかく吸水性が良好であればその構造は特に限定するものではないが、ゴム手袋１の手部３に接着剤を塗布しそれに綿繊維や糸を付着させた構造や、綿手袋を嵌着した構造などが考えられる。また、綿手袋は所謂軍手であっても良いが、手袋形の基材に綿糸を起毛させたものがペットの毛並みに沿って馴染みやすく好適である。粗綿層７の形成は、手部３の全面であっても良いが、手の平側のみとすることもできる。
【実施例】
【００１４】
図２は一対においてシャンプー用手袋Ｐ，Ｐａを示し、図１はそのうちブラシ９付きのペット専用のシャンプー用手袋Ｐａを示した。両手袋Ｐ，Ｐａには伸縮しやすい合成ゴムからなる薄いゴム手袋１が基材であって、その手部３の表面に硬化性の接着剤１１を塗布し、接着剤１１に細い綿糸を植え付けることにより粗綿層７が形成される。綿糸は繊維からなるので、粗綿層７は優しく当たる柔らかさがあり、シャンプーが溶けた湯が毛細管現象により吸収しやすく、また、ペットの毛の中に入り込んで隅々までもきれいに洗うことができる。
【００１５】
一方のシャンプー用手袋Ｐでは手部３の全面が粗綿層７で覆われているが、他方のペット専用のシャンプー用手袋Ｐａでは、手の平の中央部にブラシ９が取り付けられる。しかし、ブラシ９にはペットの毛が付着しやすくそれを取るのが容易ではないので、新品と取り替えできるように着脱可能となっている（図２，図３）。
【００１６】
着脱可能な手段として、手の平の中央部には、粗綿層７の代わりにマジックテープ（登録商標）と称される一方の接着テープ１５ａを接着剤１１で取りつけ、他方の接着テープ１５ｂ側に突起１７，１７，・・を突設してブラシ９が構成される（図１）。したがって、ブラシ９は着脱可能であり、ペットの毛が酷くこびり付いて取れなくなったときは新品のものと交換することができる。
【符号の説明】
【００１７】
Ｐ，Ｐａ  ペット専用のシャンプー用手袋
１  ゴム手袋
２  手入口
３  手部
５  手首部
７  粗綿層
９  ブラシ
【図１】
2011144465.tif 000003
【図２】
2011144465.tif 000004
【図３】
2011144465.tif 000005
(57)【要約】【課題】太陽光を集光させた光エネルギーを有効活用することによって、地球温暖化・環境破壊を阻止し、人類社会の発展に貢献する事の出来る究極無限大の動力・熱源となる。【解決手段】全世界の指導者は、このことを知り、既成概念を越えて新しい産業を実現させる為に、一日も早くコミットしなければならない。【選択図】図１
2011144096.tif 000002
【特許請求の範囲】
【請求項１】
太陽光集光定面レンズにより集光した定面光エネルギーを石英管内に固形炭素触媒を挿入し、両端部をステンレス材で片方は水注入口付とし、もう片方は、水排出口付として、ボルトを介して密閉し、石英管中央に垂直に同管を立ち上げ、ガスだまりとして成形し先端を絞り、ガス取り出し口を配した形状のブラウンガス生成管の平面管内に水を満たし、固形炭素触媒に照射することによりブラウンガス発生装置である。
【請求項２】
太陽光ブラウンガス発生装置で作られるブラウンガスは、大量生産を可能にし、世界の化石燃料すべてに、取って変わる高エネルギーを持ったガスであり、太陽光エンジンの注入ガスや、既設の自動車用燃料、一般家庭の調理ガス・湯沸器・ゴミ焼却炉の燃料・等様々な動力熱源として使う事ができる。
【発明の詳細な説明】
【技術分野】
【０００１】ガスの生成
【背景技術】
【０００２】太陽光を効率よく集光する技術は、すでに完成されている。太陽から集光された無限の超高温光エネルギーを最大限に活用できるブラウンガス発生技術である。
【発明の開示】
【０００３】従来の化石燃料に依存した技術では、地球温暖化、環境破壊を阻止する事はできない。現在研究されている有限の科学技術は環境の保全・改善という観点からより良い、よりましなソリューションには繋がるがその能力は限定的・補完的であり、極められていない。将来を鑑みる時、人類が必要とする科学技術と動力・熱源を得る為には、太陽から地球に降り注ぐ約Ｉ時間の光エネルギーは全世界が一年間に消費するエネルギーに等しいと言われている太陽光エネルギーを活用し、美しい地球と、人類生存の危機を救う為に一日も早くコミットし、公害のないクリーンな無限の科学技術を常識化しなければならないと考えます。
【考案の効果】
【０００４】現在、地球全体における化石燃料の消費による地球温暖化と環境破壊を阻止し、無限の太陽光エネルギーを活用することにより、公害の無いクリーンな地球環境を創造することができる。
【発明を実施するための最良の形態】
【０００５】この技術を実施するためには、現況産業を圧迫せず、安全・安心の管理体制システムを完成させるために、財団法人を設立し、混乱を起こさせない進め方を確立して、有限の科学から無限の科学へ移行しつつ、太陽光エネルギーを活用した新しい産業を発展させなければならないと考えます。
【実施例】
【０００６】従来の化石燃料は、その酸化熱を利用したものであるため、地球温暖化に繋がる二酸化炭素を発生させる。本発明は無限の太陽光エネルギーを固形炭素触媒を介し水（Ｈ２Ｏ）に４５００℃以上の太陽集光エネルギー熱直接照射し、水分子を分解しＨＨＯをガス（気体）として取り出す原理であり、従来の電気分解による装置とは発想を異にし、ブラウンガスを燃焼させても、少量の水が排気されるだけで、二酸化炭素その他の公害ガスの発生は一切ありません。無限の光エネルギーを活用したブラウンガス発生装置は今日に至るも、世界に実施例が見当りません。
【産業上の利用可能性】
【０００７】全ての産業・民生に於いて、動力源・熱源として活用可能。
【図面の簡単な説明】
【０００８】
【図１】ブラウンガス発生装置機構等の基本的な中心断面図であり、円筒形状をなす。
【符号の説明】
【０００９】  ０．ブラウンガス取り出し口
１．ブラウンガス発生室
２．常温水注入口
３．排水口
４．管内  上面水位
５．ホース接続口付密閉材
６．ホース接続口付密閉材
７．フランジ付石英管本体
８．炭素固形触媒
９．本体密閉材接合ボルト
１０．集光超高温光エネルギー
１１．上記  ５、６
１２．上記  ９
【図１】
2011144096.tif 000003